(57)【特許請求の範囲】
【請求項１】
締込み用ナットを螺合する第１のネジ棒を備えた基礎固着部と、締込み用ナットを螺合し逆向きにねじ切りされた第２のネジ棒を備える大引支承部と、上記両ネジ棒を螺合して連結するターンバックル部と、このターンバックル部の回転による締込み用ナットの離間を阻止するナット仮止め手段とから成る床束であって、
ナット仮止め手段は、上記締込み用ナットとターンバックル部との間に介在配備され、上部に前記締込み用ナットの下周部を脱着可能に内嵌して固定する締込み用ナット形状に対応したナットの囲み収容部分を備えると共に、下部にターンバックル部の端部外周面に接面係合する周り止め突部を備えたことを特徴とする床束。
【発明の詳細な説明】
【０００１】
【発明の属する技術分野】
この発明は、建物の床下の束石などの基礎上に設置され、大引を支持して床面高さを面一に調節するのに使用される床束に関する。
【０００２】
【従来の技術】
図５は、従来の床束を示す説明図である。
この床束は、基礎固着部２と大引支承部３とターンバックル部１とから成る。
基礎固着部２は、平板状の土台プレート２１と、このプレート２１に立設される第１のネジ棒２２とから成る。
【０００３】
また、大引支承部３はＬ形プレート（水平受板３１ａと垂直受板３１ｂとから成る）３１と、このプレート３１に垂設される第２のネジ棒３２とから成る。第２のネジ棒３２は、第１のネジ棒２２と逆向きにねじ切りされている。
【０００４】
両ネジ棒２２、３２は、スリーブ状のターンバックル部１の両側に、それぞれ螺合されて連結される。更に、両ネジ棒２２、３２には締込み用ナット（６角ナット）２３、３３が螺合され、この締込み用ナット２３、３３とターンバックル部１の端部フランジ（下端部１１、上端部１２）との間には、ワッシャ２４、３４がそれぞれ配備してある。
【０００５】
この床束は、図６で示すように、基礎固着部（土台プレート２１）２が床束Ａに固着されると共に、大引支承部３に大引Ｂが固定される。
この状態で、ターンパックル部１を回転させることにより、大引支承部３を上下動させて大引Ｂ高さを調整し、床面高さを面一に調節する。
【０００６】
【発明が解決しようとする課題】
図６に示すように、ターンバックル式床束で床面（大引）高さを調節すると、つまりターンバックル部１を回転させると、それぞれネジ棒２２、３２の伸長に伴い、各６角ナット２３、３３がターンバックル部１の端部フランジ（筒下端１１、筒上端１２）から遠く離れるように移動する。更に、第１のネジ棒２２側のワッシャ２４はナット２３の下降と共にナット２３側へずり落ちる。
【０００７】
従って、床面のレベル調整が終了し、ターンバックル部１の筒端１１、１２に対し６角ナット２３、３３を締め込むに際し、各ナット２３（ワッシュ２４）、３３をターンバックル部１の端部フランジ１１、１２まで移動させる必要がある。
【０００８】
この６角ナット２３、３３を回動移動させることが、極めて手間な作業であり、無駄な時間を必要とする許かりでなく、緩み止めに別途、スプリングワッシャが必要である等の不利があった。
【０００９】
この発明は、以上のような課題を解消させ、床面の高さ調節において締込み用ナットがターンバックル部から離間せず、ナット締込み作業が簡単で、且つ簡易に緩止め効果を実現し得る床束を提供することを目的とする。
【００１０】
【課題を解決するための手段】
この目的を達成させるために、この発明の床束は次のような構成としている。床束は、締込み用ナットを螺合する第１のネジ棒を備えた基礎固着部と、締込み用ナットを螺合し逆向きにねじ切りされた第２のネジ棒を備える大引支承部と、上記両ネジ棒を螺合して連結するターンバックル部とから成るものであって、上記締込み用ナットとターンバックル部の端部フランジとの間に、ターンバックル部の回転による締込み用ナットの離間を阻止するナット仮止め手段を配備したことを特徴としている。
【００１１】
このような構成を有する床束では、締込みナット（６角ナット）とターンバックル端との間にナット仮止め手段を介在配備してある。
ナット仮止め手段は、例えば平板状受け板で、ターンバックル部の端部フランジに周り止め係止すると共に、６角ナットを抱き込み収容する。
【００１２】
従って、ターンバックル部１を回転させ、両ネジ棒を伸長させる際、６角ナットはナット仮止め手段によりターンバックル部の端部フランジに近接定位したままで離間しない。
【００１３】
一方、床面の位置調節が終了した段階で、定位している６角ナットをターンバックル部の端部フランジに対し締め込む。この締め込みに際し、６角ナットを周り止め力（受け板の周止め係止片とターンバックル部の端部フランジとの係合力）に抗して強力に回動させると、周り止め突片が毀損する。これにより、６角ナットの締め込みが可能となる。
【００１４】
６角ナットの締め込みにより、６角ナットとターンバックル部（端部フランジ）との間に介在する各傾斜状板バネが圧縮されることで、緩み止め機能を発揮する。
【００１５】
【発明の実施の形態】
以下、図面に基づき本発明に係る床束の具体的な実施の形態を説明する。
図３は、床束の具体的な実施の形態を示す説明図である。
この床束は、ターンバックル部１と、基礎固着部２と、大引支承部３と、ナット仮止め手段４とから構成される。
【００１６】
基礎固着部２は、平板状土台プレート２１と、プレート２１の中央部から立設される第１のネジ棒２２と、ネジ棒２２に螺合する締込みナット（６角ナット）２３とから成る。
【００１７】
前記大引支承部３は、水平受け板３１ａに直角状に連続する垂直受板３１ｂを備えるＬ形プレート３１と、水平受板３１ａの中央部から垂設される第２のネジ棒３２と、ネジ棒３２に螺合される締込みナット（６角ナット）３３とから成る。ネジ棒３２は第１のネジ棒２２とは逆向きにねじ切りされている。
【００１８】
両ネジ棒２２、３２は、それぞれスリーブ状のターンバックル部１に螺合し連結されている。図３の常態姿勢において、６角ナット２３はナット仮止め手段４を介してターンバックル部１の下端フランジ１１に近接定位し、６角ナット３３はナット仮止め手段４を介して上端フランジ１２に近接定位している。
【００１９】
図２は、上記ナット仮止め手段４の具体的な実施の形態を示す説明図である。ナット仮止め手段４は、受け板４１と、囲み壁４３と、周止め突片（係止片）４４と、緩止めワッシャ機能部（傾斜板バネ）４６とから成る。
【００２０】
受け板４１は、平面形状が締込みナット（６角ナット）２３、３３の底面（端面）と同じ６角形状に形成してある。また、受け板４１の隣合う２辺には、所定高さ立ち上がる囲み壁４３、４３を設け、対向する２辺にも囲み壁４３、４３を設けて、６角ナット３３（２３）の下部周面３３ａを囲み収容する。
【００２１】
更に、受け板４１の残りの対向する辺には、周止め突片（係止片）４４、４４が突設され、この周止め突片４４がターンバックル部１の端部フランジ１２（１１）の直線部１４に接面係合することで、受け板４１が端部フランジ１２（１１）に周止め状に仮止め固定される。
【００２２】
また、ナット仮止め手段（受け板４１）４の面内には、ネジ棒が嵌挿される貫通孔４２が開設されると共に、受け板４１の面内には複数の切り溝（切欠き溝）４５を介して緩止めワッシュ機能部４６が設けられている。
【００２３】
この緩止めワッシャ機能部４６は、図１及び図２で示すように、実施の形態では傾斜状板バネである。複数の傾斜状板バネ４６は、受け板４１の面内に開設された複数の切欠き溝４５によって円陣状に設けられている。
【００２４】
各傾斜板バネ４６は、図２の例では先端部を時計周り方向へ捩じり形成され、一端側が水平状受け板４１面より上方へ突出する上端部４６ｂに、他端側が受け板４１面より下方へ突出する下端部４６ａとなるように設定されている。
尚、第１のネジ棒２２側のナット仮止め手段（受け板４１）の傾斜状板バネ４６は、先端部を反時計周り方向へ捩り形成される。
【００２５】
従って、図１で示すように、緩止めワッシャ機能部（各傾斜板バネ）４６は、上端部４６ｂが６角ナット３３（２３）の底面３３ｂを支承すると共に、下端部４６ａがターンバックル部の端部フランジ（上端フランジ１２、下端フランジ１１）に接面している。
【００２６】
このような構成を有する床束では、図３で示すように、常態において６角ナット２３はナット仮止め手段４により端部フランジ１１に仮止め固定され、６角ナット３３はナット仮止め手段４により端部フランジ１２に仮止め固定されている。
【００２７】
床面の高さ調整に際しては、図３の常態姿勢から、図４で示すように基礎固着部２を束石Ａに固着し、大引け支承部３に大引Ｂを固着したのち、ターンバックル部１を回転させることで、大引支承部３の高さを調整、すわなち床面高さを面一に調節する。
【００２８】
床面の高さ調整の際にターンバックル部１を回転させると、ターンバックル部１のネジ作用でネジ棒２２、３２は伸長する。しかし、各ネジ棒２２、３２に螺合する６角ナット２３、３３はターンバックル部１から離間しない。
【００２９】
つまり、図１に示すように、６角ナット３３（２３）は受け板（囲み壁４３）４１に固定され、受け板４１はターンバックル部（端部フランジ１１、１２）１に周止め突片４４で固定されている。
【００３０】
かくして、ターンバックル部１を回転させても、ネジ棒２２、３２の伸長に関わらず、６角ナット２３、３３は端部フランジ１１（１２）に近接定位する状態が保持される。従って、床面高さ調整後の６角ナット２２、３３の締め込み作業は、定位置状態から単に締め込むだけで良い。
【００３１】
更に、図４で示すように、周り止め片４４の係止力に抗して６角ナット２３、３３を強く回動させると、周止め突片４４が毀損する。これにより、６角ナット２３、３３の締め込みが可能となる。
【００３２】
この６角ナット２３、３３の締め込みにより、６角ナット２３、３３と端部フランジ１１、１２面との間に介在する傾斜板バネ４６が圧縮され、緩み止め機能を発揮する。
【００３３】
【発明の効果】
この発明では、以上のように、締込み用ナットとターンバックル部との間に介在配備される仮止め手段は、締込み用ナットの下周部を脱着可能に内嵌して固定するナット形状に対応したナットを囲み収容する部分と、ターンバックル部の端部外周面に接面係合する周り止め突部とで構成することとしたから、締込み用ナットを囲み収容部分に単に嵌めこみ、周り止め突部をターンバックル部の外面に係合させる簡易な作業で仮固定し得、それぞれ別体である締込み用ナットと仮止め手段とターンバックル部とが一体となって共廻りする。したがって、ターンバックルの回転によっても締込み用ナットはターンバックル部より離間せず常態位置を保持し得るから、従来のように床面高さを調節した後に、ターンバックル部に対し６角ナットを締め込む際に離間した６角ナットを、ターンバックル部の端部まで移動させる手間が解消され、６角ナットの締め込み作業が極めて合理的に、且つ簡易に実行し得る等、発明目的を達成した優れた効果を有する。
【図面の簡単な説明】
【図１】実施の形態の床束のナット仮止め手段を示す要部拡大図である。
【図２】ナット仮止め手段と６角ナットとターンバックル部の端部フランジとの関係を示す分解斜視図である。
【図３】床束の常態姿勢を示す説明図である。
【図４】床束で床面を高さ調節する状態を示す説明図である。
【図５】従来の床束の常態姿勢を示す説明図である。
【図６】従来の床束で床面を高さ調節する状態を示す説明図である。
【符号の説明】
１      ターンバックル部
２      基礎固着部
３      大引支承部
４      ナット仮止め手段
１１    ターンバックル部の下端フランジ
１２    ターンバックル部の上端フランジ
１４    直線部
２２    第１のネジ棒
２３    締込み用ナット（６角ナット）
３２    第２のネジ棒
３３    締込み用ナット（６角ナット）
４１    受け板
４３    囲み壁
４４    周止め突片
４５    切り溝
４６    緩止めワッシャ機能部（傾斜板バネ）
【図１】
0003778502.tif 000002
【図２】
0003778502.tif 000003
【図３】
0003778502.tif 000004
【図４】
0003778502.tif 000005
【図５】
0003778502.tif 000006
【図６】
0003778502.tif 000007